(57)【要約】【課題】構成が簡単且つ小型で、設置スペースを低減することが可能なアンテナ共用器を提供する。【解決手段】増設された無線機１台当たり、第１〜第３サーキュレータ７〜９と、増設された無線機の送信チャンネル及び受信チャンネルに対応するＢＰＦ５、６とを有する共用回路４を具備する。共用回路４は増設された無線機の数に応じて１つ又は複数を縦続接続する。１つ又は複数の共用回路のうち先頭の共用回路の第１サーキュレータ７の第３ポートを送受信アンテナＡＮＴに接続し、最終の共用回路の第２サーキュレータ８の第３ポートを既存の無線機１のチャンネルに接続する。【選択図】図１
2010268041.tif 000002
【特許請求の範囲】
【請求項１】
信号を送受信する送受信アンテナを複数の送受信一体型の無線機で共用するアンテナ共用器であって、
各々３つのポートを有する１つのポート同士が接続された第１、第２サーキュレータ、及び３つのポートを有する第３サーキュレータと、
前記第１又は第２サーキュレータの他の１つのポートと前記第３サーキュレータの１つのポート間に接続され、前記複数の無線機のうち対応する無線機の送信信号を通過させる第１帯域通過フィルタと、
前記第１又は第２サーキュレータの他の１つのポートと前記第３サーキュレータの他の１つのポート間に接続され、前記複数の無線機のうち対応する無線機の受信信号を通過させる第２帯域通過フィルタと、を有するアンテナ共用回路を有し、
前記アンテナ共用回路は、前記複数の無線機の数に応じて１つ又は複数が縦続接続されており、前記１つ又は複数のアンテナ共用回路のうち、先頭のアンテナ共用回路の前記第１サーキュレータの残りのポートが前記送受信アンテナに接続され、且つ、前記第３サーキュレータの残りのポートが対応する無線機のチャンネルに接続されていることを特徴とするアンテナ共用器。
【請求項２】
前記１つ又は複数のアンテナ共用回路のうち最終のアンテナ共用回路の前記第２サーキュレータの残りのポートが最終段の無線機のチャンネルに接続されていることを特徴とする請求項１に記載のアンテナ共用器。
【請求項３】
前記アンテナ共用回路は、前記第２サーキュレータの残りのポートを次段のアンテナ共用回路の第１のサーキュレータの残りのポートに接続することによって縦続接続されていることを特徴とする請求項１又は２に記載のアンテナ共用器。
【請求項４】
信号を送受信する送受信アンテナと、信号を送信及び受信する送受信一体型の無線機との間に接続され、前記送受信アンテナを複数の前記無線機で共用するアンテナ共用器であって、
各々回転方向に沿って第１、第２及び第３ポートを有し、前記第１ポート同士が接続された第１サーキュレータ及び前記第１サーキュレータとは回転方向が反対方向の第２サーキュレータと、
前記第１サーキュレータと回転方向が同方向で回転方向に沿って第１、第２及び第３ポートを有する第３サーキュレータと、
前記第２サーキュレータの第２ポートと前記第３サーキュレータの第１ポートとの間、又は前記第１サーキュレータの第２ポートと前記第３サーキュレータの第３ポートとの間に接続され、前記複数の無線機のうち対応する無線機の送信信号を通過させる第１帯域通過フィルタと、
前記第１サーキュレータの第２ポートと前記第３サーキュレータの第３ポートとの間、又は前記第２サーキュレータの第２ポートと前記第３サーキュレータの第１ポートとの間に接続され、前記複数の無線機のうち対応する無線機の受信信号を通過させる第２帯域通過フィルタと、を有するアンテナ共用回路を有し、
前記アンテナ共用回路は、前記無線機の数に応じて１つ又は複数が縦続接続されており、前記１つ又は複数のアンテナ共用回路のうち、先頭のアンテナ共用回路の前記第１サーキュレータの第３ポートが前記送受信アンテナに接続され、且つ、前記第３サーキュレータの第２ポートが対応する無線機のチャンネルに接続されていることを特徴とするアンテナ共用器。
【請求項５】
前記１つ又は複数のアンテナ共用回路のうち最終のアンテナ共用回路の前記第２サーキュレータの第３ポートが最終段の無線機のチャンネルに接続されていることを特徴とする請求項４に記載のアンテナ共用器。
【請求項６】
前記アンテナ共用回路は、前記第２サーキュレータの第３ポートを次段のアンテナ共用回路の第１サーキュレータの第３ポートに接続することによって縦続接続されていることを特徴とする請求項４又は５に記載のアンテナ共用器。
【請求項７】
信号を送受信する送受信アンテナと、信号を送信及び受信する送受信一体型の無線機との間に接続され、前記無線機を増設した際に前記送受信アンテナを複数の前記無線機で共用するアンテナ共用器であって、
前記増設された無線機１台当たり、
各々回転方向に沿って第１、第２及び第３ポートを有し、前記第１ポート同士が接続された第１サーキュレータ及び前記第１サーキュレータとは回転方向が反対方向の第２サーキュレータと、
前記第１サーキュレータと回転方向が同方向で回転方向に沿って第１、第２及び第３ポートを有する第３サーキュレータと、
前記第２サーキュレータの第２ポートと前記第３サーキュレータの第１ポートとの間、又は前記第１サーキュレータの第２ポートと前記第３サーキュレータの第３ポートとの間に接続され、前記複数の無線機のうち対応する無線機の送信信号を通過させる第１帯域通過フィルタと、
前記第１サーキュレータの第２ポートと前記第３サーキュレータの第３ポートとの間、又は前記第２サーキュレータの第２ポートと前記第３サーキュレータの第１ポートとの間に接続され、前記複数の無線機のうち対応する無線機の受信信号を通過させる第２帯域通過フィルタと、を有するアンテナ共用回路を有し、
前記アンテナ共用回路は、前記増設された無線機の数に応じて１つ又は複数が縦続接続されており、前記１つ又は複数のアンテナ共用回路のうち、先頭のアンテナ共用回路の前記第１サーキュレータの第３ポートが前記送受信アンテナに接続され、且つ、前記第３サーキュレータの第２ポートが対応する無線機のチャンネルに接続されていることを特徴とするアンテナ共用器。
【請求項８】
前記１つ又は複数のアンテナ共用回路のうち最終のアンテナ共用回路の前記第２サーキュレータの第３ポートが最終段の無線機のチャンネルに接続されていることを特徴とする請求項７に記載のアンテナ共用器。
【請求項９】
前記アンテナ共用回路は、前記第２サーキュレータの第３ポートを次段のアンテナ共用回路の第１サーキュレータの第３ポートに接続することによって縦続接続されていることを特徴とする請求項７又は８に記載のアンテナ共用器。
【発明の詳細な説明】
【技術分野】
【０００１】
本発明は、１つの送受信アンテナを複数の無線機で共用するアンテナ共用器に関するものである。
【背景技術】
【０００２】
図３は従来例のアンテナ共用器を示す回路図である。図３は特開２０００−２３６２７０号公報に開示された空中線共用装置を示す（特許文献１）。図３に示すように隣接する各第１のハイブリッド回路Ｈ１３ａ，Ｈ１５ａ，Ｈ２３ａの第２の端子Ｔｂと第１の端子Ｔａとが互いに接続されている。また、一端側の第１のハイブリッド回路Ｈ１３ａの第１の端子Ｔａは無反射終端器Ｒに、他端側の第１のハイブリッド回路Ｈ２３ａの第２の端子ＴｂはアンテナＡＮＴにそれぞれ接続されている。
【０００３】
各第１のハイブリッド回路Ｈ１３ａ，Ｈ１５ａ，Ｈ２３ａの第３の端子Ｔｃと各第２のハイブリッド回路Ｈ１３ｂ，Ｈ１５ｂ，Ｈ２３ｂの第３の端子Ｔｃとの間には、それぞれ所定のチャネルの送信波を通過させるＢＰＦ（帯域通過フィルタ）Ｂ１３ａ，Ｂ１５ａ，Ｂ２３ａが接続されている。また、各第１のハイブリッド回路Ｈ１３ａ，Ｈ１５ａ，Ｈ２３ａの第４の端子Ｔｄと各第２のハイブリッド回路Ｈ１３ｂ，Ｈ１５ｂ，Ｈ２３ｂの第４の端子Ｔｄとの間には、それぞれ所定のチャネルの送信波を通過させるＢＰＦ（帯域通過フィルタ）Ｂ１３ｂ，Ｂ１５ｂ，Ｂ２３ｂが接続されている。
【０００４】
各第２のハイブリッド回路Ｈ１３ｂ，Ｈ１５ｂ，Ｈ２３ｂの第１の端子Ｔａは、それぞれのチャネルの送信波を出力する送信機に接続され、各第２のハイブリッド回路Ｈ１３ｂ，Ｈ１５ｂ，Ｈ２３ｂの第２の端子Ｔｂは、それぞれ無反射終端器Ｒに接続されている。
【０００５】
次に、１３チャネルの送信波を例に挙げて図３に示す空中線共用装置の動作を説明する。まず、第２のハイブリッド回路Ｈ１３ｂの第１の端子Ｔａから入力された１３チャネルの送信波は、それぞれＢＰＦ Ｂ１３ａ，Ｂ１３ｂを通って第１のハイブリッド回路Ｈ１３ａに入力され、第１のハイブリッド回路Ｈ１３ａの第２の端子Ｔｂから出力される。この第１のハイブリッド回路Ｈ１３ａから出力された１３チャネルの送信波は第１のハイブリッド回路Ｈ１５ａに入力され、ＢＰＦ Ｂ１５ａ，Ｂ１５ｂで全反射され、第１のハイブリッド回路Ｈ１５ａの第２の端子Ｔｂから出力される。以下、同様にしてアンテナＡＮＴに送られ、アンテナＡＮＴから放射される。
【０００６】
図３は送信用アンテナを複数の送信機で共用する場合の例である。そこで、図３の空中線共用装置を用いて既設の送受信一体型無線機にもう一台の送受信一体型無線機を増設する場合のアンテナ共用構成を図４に示す。図４において、送受信一体型無線機１は既存の無線機、送受信一体型無線機２は増設された無線機とし、これら２つの既存の無線機１と増設された無線機２とを共用器１６を介して接続することでアンテナＡＮＴを共用する場合の例を説明する。
【０００７】
送受信一体型無線機１の送信キャリア周波数はｆｔ１、受信キャリア周波数はｆｒ１であり、送受信一体型無線機２の送信キャリア周波数はｆｔ２、受信キャリア周波数はｆｒ２とする。共用器１６は、サーキュレータ１７、４個のＢＰＦ Ｂ１ａ，Ｂ１ｂ，Ｂ２ａ，Ｂ２ｂ、及び４個のハイブリッド回路Ｈ１ａ，Ｈ１ｂ，Ｈ２ａ，Ｈ２ｂにより構成されている。ＢＰＦ Ｂ１ａ，Ｂ１ｂは送受信一体型無線機２の送信キャリア周波数ft２を中心周波数とし、ＢＰＦ Ｂ２ａ，Ｂ２ｂは受信キャリア周波数fr２を中心周波数とする。
【０００８】
送受信信号の流れを説明する。送受信一体型無線機１の端子１ｂから入力されたキャリア周波数ｆｔ１の送信信号は、ＢＰＦ１ｇを通過し、送信部１ｃにて増幅され、ＢＰＦ１ｅを通過した後、共用器１６のハイブリッド回路Ｈ１ａの端子Ｔａから入力される。この送信信号はＢＰＦ Ｂ１ａ，Ｂ１ｂで全反射され、ハイブリッド回路Ｈ１ａの端子Ｔｂから隣接するハイブリッド回路Ｈ２ａの端子Ｔａへ入力される。ハイブリッド回路Ｈ２ａの端子Ｔａから入力されたキャリア周波数ｆｒ１の送信信号は、ＢＰＦ Ｂ２ａ，Ｂ２ｂで全反射され、ハイブリッド回路Ｈ２ａの端子ＴｂからアンテナＡＮＴへ出力され、アンテナＡＮＴから放射される。
【０００９】
アンテナＡＮＴで受信されたキャリア周波数fr１の受信信号は、共用器１６のハイブリッド回路Ｈ２ａの端子Ｔｂから入力され、ＢＰＦ Ｂ２ａ，Ｂ２ｂで全反射され、ハイブリッド回路Ｈ２ａの端子Ｔａから隣接するハイブリッド回路Ｈ１ａの端子Ｔｂへ入力される。ハイブリッド回路Ｈ１ａの端子Ｔｂから入力されたキャリア周波数ｆｒ１の受信信号は、ＢＰＦ Ｂ１ａ，Ｂ１ｂで全反射され、ハイブリッド回路Ｈ１ａの端子Ｔａから送受信一体型無線機１の端子１ａへ入力される。端子１ａから入力された受信信号は、ＢＰＦ１ｆを経由して受信部１ｄで増幅され、ＢＰＦ１ｈを通過して端子１ｂから出力される。
【００１０】
一方、増設された送受信一体型無線機２の端子２ｂから入力されたキャリア周波数ｆｔ２の送信信号は、ＢＰＦ２ｇを通過し、送信部２ｃにて増幅され、ＢＰＦ２ｅを通過した後、共用器１６の端子ＴＸＩＮ／ＲＸＯＵＴ２から入力される。共用器１６に入力されたキャリア周波数ｆｔ２の送信信号はサーキュレータ１７を経由してハイブリッド回路Ｈ１ｂの端子Ｔａに入力され、ＢＰＦ Ｂ１ａ，Ｂ１ｂを通過してハイブリッド回路Ｈ１ａの端子Ｔｂから隣接するハイブリッド回路Ｈ２ａの端子Ｔａへ入力される。
【００１１】
ハイブリッド回路Ｈ２ａの端子Ｔａから入力された送信信号は、ＢＰＦ Ｂ２ａ，Ｂ２ｂで全反射され、ハイブリッド回路Ｈ２ａの端子ＴｂからアンテナＡＮＴへ出力され、アンテナＡＮＴから放射される。
【００１２】
アンテナＡＮＴで受信されたキャリア周波数fr２の受信信号は、共用器１６のハイブリッド回路Ｈ２ａの端子Ｔｂから入力され、ＢＰＦ Ｂ２ａ，Ｂ２ｂを通過し、ハイブリッド回路Ｈ２ｂの端子Ｔａから出力される。この受信信号はサーキュレータ１７を通過し、共用器１６の端子ＴＸＩＮ／ＲＸＯＵＴ２から送受信一体型無線機２の端子２ａへ入力される。
【００１３】
端子２ａから入力された受信信号は、ＢＰＦ２ｆを経由して受信部２ｄで増幅され、ＢＰＦ２ｈを通過して端子２ｂから出力される。図４では、このようにして既存の無線機である送受信一体型無線機１とアンテナＡＮＴ間に共用器１６を接続することにより、既存の増送受信一体型無線機１と、増設された送受信一体型無線機２との間でアンテナＡＮＴを共用する例を示す。
【００１４】
なお、アンテナ共用器に関連する技術としては、特許文献１の他に特許文献２乃至６に開示された技術がある。
【先行技術文献】
【特許文献】
【００１５】
【特許文献１】特開２０００−２３６２７０号公報
【特許文献２】特開２００７−２７４４６５号公報
【特許文献３】特開昭６１−２２４５０１号公報
【特許文献４】特開平０２−２０９０２４号公報
【特許文献５】特開平０８−０４６５４５号公報
【特許文献６】特許第３１７８４３４号公報
【発明の概要】
【発明が解決しようとする課題】
【００１６】
図４の構成から明らかなように従来の共用器を用いてアンテナを共用する場合には、ＢＰＦが４個、ハイブリッド回路が４個、サーキュレータが１個必要であり、構成が複雑で大型になる欠点があった。
【００１７】
本発明の目的は、構成が簡単且つ小型で、設置スペースを低減することが可能なアンテナ共用器を提供することにある。
【課題を解決するための手段】
【００１８】
本発明は、信号を送受信する送受信アンテナを複数の送受信一体型の無線機で共用するアンテナ共用器であって、各々３つのポートを有する１つのポート同士が接続された第１、第２サーキュレータ、及び３つのポートを有する第３サーキュレータと、前記第１又は第２サーキュレータの他の１つのポートと前記第３サーキュレータの１つのポート間に接続され、前記複数の無線機のうち対応する無線機の送信信号を通過させる第１帯域通過フィルタと、前記第１又は第２サーキュレータの他の１つのポートと前記第３サーキュレータの他の１つのポート間に接続され、前記複数の無線機のうち対応する無線機の受信信号を通過させる第２帯域通過フィルタと、を有するアンテナ共用回路を有し、前記アンテナ共用回路は、前記複数の無線機の数に応じて１つ又は複数が縦続接続されており、前記１つ又は複数のアンテナ共用回路のうち、先頭のアンテナ共用回路の前記第１サーキュレータの残りのポートが前記送受信アンテナに接続され、且つ、前記第３サーキュレータの残りのポートが対応する無線機のチャンネルに接続されていることを特徴とする。
【００１９】
また、本発明は、信号を送受信する送受信アンテナと、信号を送信及び受信する送受信一体型の無線機との間に接続され、前記送受信アンテナを複数の前記無線機で共用するアンテナ共用器であって、各々回転方向に沿って第１、第２及び第３ポートを有し、前記第１ポート同士が接続された第１サーキュレータ及び前記第１サーキュレータとは回転方向が反対方向の第２サーキュレータと、前記第１サーキュレータと回転方向が同方向で回転方向に沿って第１、第２及び第３ポートを有する第３サーキュレータと、前記第２サーキュレータの第２ポートと前記第３サーキュレータの第１ポートとの間、又は前記第１サーキュレータの第２ポートと前記第３サーキュレータの第３ポートとの間に接続され、前記複数の無線機のうち対応する無線機の送信信号を通過させる第１帯域通過フィルタと、前記第１サーキュレータの第２ポートと前記第３サーキュレータの第３ポートとの間、又は前記第２サーキュレータの第２ポートと前記第３サーキュレータの第１ポートとの間に接続され、前記複数の無線機のうち対応する無線機の受信信号を通過させる第２帯域通過フィルタと、を有するアンテナ共用回路を有し、前記アンテナ共用回路は、前記無線機の数に応じて１つ又は複数が縦続接続されており、前記１つ又は複数のアンテナ共用回路のうち、先頭のアンテナ共用回路の前記第１サーキュレータの第３ポートが前記送受信アンテナに接続され、且つ、前記第３サーキュレータの第２ポートが対応する無線機のチャンネルに接続されていることを特徴とする。
【００２０】
更に、本発明は、信号を送受信する送受信アンテナと、信号を送信及び受信する送受信一体型の無線機との間に接続され、前記無線機を増設した際に前記送受信アンテナを複数の前記無線機で共用するアンテナ共用器であって、前記増設された無線機１台当たり、各々回転方向に沿って第１、第２及び第３ポートを有し、前記第１ポート同士が接続された第１サーキュレータ及び前記第１サーキュレータとは回転方向が反対方向の第２サーキュレータと、前記第１サーキュレータと回転方向が同方向で回転方向に沿って第１、第２及び第３ポートを有する第３サーキュレータと、前記第２サーキュレータの第２ポートと前記第３サーキュレータの第１ポートとの間、又は前記第１サーキュレータの第２ポートと前記第３サーキュレータの第３ポートとの間に接続され、前記複数の無線機のうち対応する無線機の送信信号を通過させる第１帯域通過フィルタと、前記第１サーキュレータの第２ポートと前記第３サーキュレータの第３ポートとの間、又は前記第２サーキュレータの第２ポートと前記第３サーキュレータの第１ポートとの間に接続され、前記複数の無線機のうち対応する無線機の受信信号を通過させる第２帯域通過フィルタと、を有するアンテナ共用回路を有し、前記アンテナ共用回路は、前記増設された無線機の数に応じて１つ又は複数が縦続接続されており、前記１つ又は複数のアンテナ共用回路のうち、先頭のアンテナ共用回路の前記第１サーキュレータの第３ポートが前記送受信アンテナに接続され、且つ、前記第３サーキュレータの第２ポートが対応する無線機のチャンネルに接続されていることを特徴とする。
【発明の効果】
【００２１】
本発明によれば、増設する無線機１台当たり、アンテナ共用器を２個のＢＰＦと３個のサーキュレータで構成でき、部品点数を大幅に削減することが可能となる。そのため、構成が簡単で小型のアンテナ共用器を実現できると共に、アンテナ共用器の設置スペースを削減することが可能となる。
【図面の簡単な説明】
【００２２】
【図１】本発明に係るアンテナ共用器の第１の実施形態を示す構成図である。
【図２】本発明の第２の実施形態を示す構成図である。
【図３】従来例のアンテナ共用器を示す構成図である。
【図４】図３に示す従来例のアンテナ共用器を用いてアンテナを共用した場合の例を示す構成図である。
【発明を実施するための形態】
【００２３】
次に、本発明に係るアンテナ共用器の実施の形態について図面を参照して詳細に説明する。
【００２４】
（第１の実施形態）
図１は本発明に係るアンテナ共用器の第１の実施形態を示す構成図である。図１では当初、直接接続されていたアンテナＡＮＴと既存の送受信一体型無線機１との間にアンテナ共用回路４を接続し、既存の送受信一体型無線機１と増設された送受信一体型無線機２との間でアンテナＡＮＴを共用したシステム構成を示す。なお、図１では、便宜上、送受信一体型無線機１を既存の無線機、送受信一体型無線機２を増設された無線機として説明するが、その逆でも良い。
【００２５】
送受信一体型無線機１の送信キャリア周波数はｆｔ１、受信キャリア周波数はｆｒ１、送受信一体型無線機２の送信キャリア周波数はｆｔ２、受信キャリア周波数はｆｒ２とする。アンテナ共用回路４は、３個のサーキュレータ７、８、９及び２個のＢＰＦ（帯域通過フィルタ）５、６により構成され、ＢＰＦ５は送受信一体型無線機２の送信キャリア周波数ｆｔ２を中心周波数とし、ＢＰＦ６は受信キャリア周波数ｆｒ２を中心周波数とする。
【００２６】
ＢＰＦ５は送受信一体型無線機２からの送信信号のみを通過させ、ＢＰＦ６は送受信一体型無線機２の受信信号のみを通過させる。ＢＰＦ５は第１帯域通過フィルタ、ＢＰＦ６は第２帯域通過フィルタとする。
【００２７】
サーキュレータ７、８、９は各々３つのポートを有し、サーキュレータ７、８、９の矢印は回転方向を示す。サーキュレータ７は第１サーキュレータ、サーキュレータ８は第２サーキュレータ、サーキュレータ９は第３サーキュレータとする。なお、図１に示すように第１、第２、第３サーキュレータ７、８、９には、それぞれ回転方向に沿って第１ポート、第２ポート、第３ポートを示す番号を付している。ここでは、図１に示すように第１から第３ポートを定義するが、これは便宜上決めたものである。
【００２８】
第１サーキュレータ７の第１ポートは第１サーキュレータ７とは回転方向が逆の第２サーキュレータ８の第１ポートに接続されている。第１サーキュレータ７の第２ポートはＢＰＦ５の出力側に接続され、第３ポートはアンテナＡＮＴに接続されている。第２サーキュレータ８の第２ポートはＢＰＦ６の入力側に接続され、第３ポートは既存の送受信一体型無線機１のチャンネルに接続されている。
【００２９】
また、ＢＰＦ６の出力側に第３サーキュレータの第１ポートが接続され、ＢＰＦ５の入力側に第３サーキュレータの第３ポートが接続されている。第３サーキュレータ９の第２ポートは増設された送受信一体型無線機２のチャンネルに接続されている。第３サーキュレータ９の回転方向は第１のサーキュレータ７と同方向である。
【００３０】
次に、本実施形態に係るアンテナ共用回路４の送受信信号の流れを説明する。まず、既存の無線機である送受信一体型無線機１の端子１ｂから入力されたキャリア周波数ｆｔ1の送信信号は、ＢＰＦ１ｇを通過し、送信部１ｃにて増幅され、ＢＰＦ１ｅを通過した後、アンテナ共用回路４の端子ＴＸＩＮ／ＯＵＴ１から入力される。アンテナ共用回路４に入力されたキャリア周波数ｆｔ１の送信信号は第２サーキュレータ８を通過後、第１サーキュレータ７を経由してＢＰＦ５へ進むが、帯域外であるため全反射され、再度第１サーキュレータ７を通過してアンテナＡＮＴへ進み、アンテナＡＮＴから放射される。
【００３１】
また、アンテナＡＮＴで受信されたキャリア周波数ｆｒ１の受信信号は、第１サーキュレータ７を経由して第２サーキュレータ８からＢＰＦ６へ進むが、帯域外であるためＢＰＦ６で全反射され、再度第２サーキュレータ８を通過し、アンテナ共用回路４の端子ＴＸＩＮ／ＯＵＴ１から送受信一体型無線機１の端子１ａへ入力される。端子１ａから入力されたキャリア周波数ｆｒ１の受信信号は、ＢＰＦ１ｆを経由して受信部１ｄで増幅され、更にＢＰＦ１ｈを通過して端子１ｂから出力される。
【００３２】
一方、増設された送受信一体型無線機２の端子２ｂから入力されたキャリア周波数ｆｔ２の送信信号は、ＢＰＦ２ｇを通過し、送信部２ｃにて増幅され、ＢＰＦ２ｅを通過した後、端子ＴＸＩＮ／ＯＵＴ２からアンテナ共用回路４に入力される。入力されたキャリア周波数ｆｔ２の送信信号は第３サーキュレータ９を通過後、ＢＰＦ５を通過し、第１サーキュレータ７を経由してアンテナＡＮＴへ進み、アンテナＡＮＴから放射される。
【００３３】
また、アンテナＡＮＴで受信されたキャリア周波数ｆｒ２の受信信号は、第１サーキュレータ７を経由して第２サーキュレータ８からＢＰＦ６を通過し、更に第３サーキュレータ９を経由してアンテナ共用回路４の端子ＴＸＩＮ／ＯＵＴ２から送受信一体型無線機２の端子２ａへ入力される。端子２ａから入力された受信信号は、ＢＰＦ２ｆを経由して受信部２ｄで増幅され、ＢＰＦ２ｈを通過して端子２ｂから出力される。
【００３４】
本実施形態では、既存の無線機である送受信一体型無線機１とアンテナＡＮＴ間にアンテナ共用回路４を接続することにより、既存の送受信一体型無線機１と増設された送受信一体型無線機２との間でアンテナＡＮＴを共用することが可能となる。その際、図１の構成から明らかなように増設する送受信一体型無線機１台当たり、ＢＰＦが２個、サーキュレータが３個で済み、図４と比べて構成が簡単で小型のアンテナ共用器を実現できる。また、アンテナ共用器の設置スペースも削減できる。
【００３５】
（第２の実施形態）
図２は本発明に係るアンテナ共用器の第２の実施形態を示す構成図である。図２では図１と同一部分には同一符号を付している。図２の基本的な構成は図１と同様であるが、図１の構成に加えて２台目の送受信一体型無線機３が増設された例を示す。アンテナ共用回路１０には、送受信一体型無線機３の増設に伴い、図１のアンテナ共用回路４にＢＰＦ１１、１２（帯域通過フィルタ）及びサーキュレータ１３、１４、１５からなるアンテナ共用回路が縦続接続されている。
【００３６】
即ち、当初、直接接続されていたアンテナＡＮＴと既存の送受信一体型無線機１間にアンテナ共用回路１０が接続され、既存の送受信一体型無線機１と増設された２台の送受信一体型無線機２、３との間でアンテナＡＮＴを共用している。
図２では図１に追加された構成のみを説明するが、既存の送受信一体型無線機１と増設された送受信一体型無線機２の送受信信号の流れは図１の説明と同様である。送受信一体型無線機３の送信キャリア周波数はｆｔ３、受信キャリア周波数はｆｒ３とする。また、上述のように既存の送受信一体型無線機１の送信キャリア周波数はｆｔ１、受信キャリア周波数はｆｒ１、送受信一体型無線機２の送信キャリア周波数はｆｔ２、受信キャリア周波数はｆｒ２とする。
【００３７】
アンテナ共用回路１０には、図１のアンテナ共用回路４に対して３個のサーキュレータ１３、１４、１５及び２個のＢＰＦ１１、１２が追加されているが、ＢＰＦ１１は送受信一体型無線機３の送信キャリア周波数ｆｔ３を中心周波数とし、ＢＰＦ１２は受信キャリア周波数ｆｒ３を中心周波数とする。
【００３８】
また、サーキュレータ１３、１４、１５は各々３つのポートを有し、サーキュレータ１３、１４、１５の矢印は回転方向を示す。サーキュレータ１３は第１サーキュレータ、サーキュレータ１４は第２サーキュレータ、サーキュレータ１５は第３サーキュレータとする。なお、図２に示すように第１、第２、第３サーキュレータ１３、１４、１５には、図１と同様にそれぞれ回転方向に沿って第１ポート、第２ポート、第３ポートを示す番号を付しているが、これらの番号は便宜上付したものである。
【００３９】
第１のサーキュレータ１３の第１ポートは第１のサーキュレータ１３とは回転方向が反対方向の第２のサーキュレータ１４の第１ポートに接続されている。第１サーキュレータ１３の第２ポートはＢＰＦ１１の出力側に接続され、第３ポートは前段のアンテナ共用回路４における第２サーキュレータ８の第３ポートに接続されている。第２サーキュレータ１４の第２ポートはＢＰＦ１２の入力側に接続され、第３ポートは既存の送受信一体型無線機１のチャンネルに接続されている。
【００４０】
また、ＢＰＦ１２の出力側に第３サーキュレータ１５の第１ポートが接続され、ＢＰＦ１１の入力側に第３サーキュレータの第３ポートが接続されている。第３サーキュレータ１５の第２ポートは増設された送受信一体型無線機３のチャンネルに接続されている。第３サーキュレータ１５の回転方向は第１サーキュレータ１３と同方向である。
【００４１】
次に、送受信一体型無線機３に関する送受信信号の流れを説明する。送受信一体型無線機３の端子３ｂから入力されたキャリア周波数ｆｔ３の送信信号は、ＢＰＦ３ｇを通過し、送信部３ｃにて増幅され、ＢＰＦ３ｅを通過した後、アンテナ共用回路１０の端子ＴＸＩＮ／ＯＵＴ３から入力される。
【００４２】
アンテナ共用回路１０に入力されたキャリア周波数ｆｔ３の送信信号は第３サーキュレータ１５を通過後、ＢＰＦ１１を通過する。更に、その送信信号は第１サーキュレータ１３、前段のアンテナ共用回路４の第２、第１サーキュレータ８、７を経由してＢＰＦ５へ進むが、帯域外であるため全反射され、再度第１サーキュレータ７を通過してアンテナＡＮＴへ進み、アンテナＡＮＴから放射される。
【００４３】
アンテナＡＮＴで受信されたキャリア周波数ｆｒ３の受信信号は、前段のアンテナ共用回路４の第１サーキュレータ７を経由して第２サーキュレータ８からＢＰＦ６へ進むが、帯域外であるため全反射され、再度第２サーキュレータ８を通過する。更に、その受信信号は第１サーキュレータ１３を経由して第２サーキュレータ１４からＢＰＦ１２を通過し、第３サーキュレータ１５からアンテナ共用回路１０の端子ＴＸＩＮ／ＯＵＴ３を経由して送受信一体型無線機３の端子３ａへ入力される。端子３ａから入力された受信信号は、ＢＰＦ３ｆを経由して受信部３ｄで増幅され、ＢＰＦ３ｈを通過して端子３ｂから出力される。
【００４４】
本実施形態では、図１と同様に増設された送受信一体型無線機１台当たり、ＢＰＦが２個、サーキュレータが３個で済むため、構成が簡単で小型のアンテナ共用器を実現できる。また、アンテナ共用器の設置スペースも削減できる。
【００４５】
なお、以上の実施形態では、送受信一体型無線機を１台増設する例と２台増設する例を示したが、本発明はそれ以上増設することも可能である。その場合には、増設する送受信一体型無線機の数に応じて送受信一体型無線機１台当たり２個のＢＰＦと３個のサーキュレータからなるアンテナ共用回路を追加し（図２のサーキュレータ１４に接続）、アンテナ共用回路を縦続接続すれば良い。
【００４６】
また、図１において、サーキュレータ７、８、９の回転方向を各々図１とは反対方向とし、ＢＰＦ５と６を入れ換えてサーキュレータ７と９の間にＢＰＦ６を接続し、サーキュレータ８と９の間にＢＰＦ５を接続しても良い。これは図２でも同様である。また、図２において、サーキュレータ１３、１４、１５の回転方向を各々図２とは反対方向とし、ＢＰＦ１１と１２を入れ換えてサーキュレータ１３と１４の間にＢＰＦ１２を接続し、サーキュレータ１４と１５の間にＢＰＦ１１を接続しても良い。
【符号の説明】
【００４７】
１  既存の送受信一体型無線機
２、３  増設された送受信一体型無線機
４、１０  アンテナ共用回路
１ａ、２ａ、３ａ  端子
１ｂ、２ｂ、３ｂ  端子
１ｅ、１ｆ、１ｇ、１ｈ  ＢＰＦ
２ｅ、２ｆ、２ｇ、２ｈ  ＢＰＦ
３ｅ、３ｆ、３ｇ、３ｈ  ＢＰＦ
１ｃ、１ｄ  送信部
２ｃ、２ｄ  送信部
３ｃ、３ｄ  送信部
５、６、１１、１２  ＢＰＦ
７、８、９、１３、１４、１５  サーキュレータ
ＡＮＴ  アンテナ
【図１】
2010268041.tif 000003
【図２】
2010268041.tif 000004
【図３】
2010268041.tif 000005
【図４】
2010268041.tif 000006